(57)【要約】【課題】本発明は、従来より構成を単純化することができ、製造コストを低減することができ、正確な流路切換動作が具現できる流路切換装置及びこれを備えた換気装置を提供するためのものである。【解決手段】本発明の流路切換装置は、流路の分岐地点に設けられた流路切換板と、流路切換板を動作させる駆動装置を含み、駆動装置一方向に回転するモータと、モータの回転軸に結合された回転部材と、一端が流路切換板に連結され、他端が回転部材の回転中心と離隔した位置に回転可能に連結された連結部材と、回転部材の回転位置を感知する感知装置を含み、感知装置は回転部材に設けられた複数の感知突起と、複数の感知突起を感知するセンサを含み、複数の感知突起の間の少なくとも１つの間隔が他の感知突起の間の間隔と異なるようになったものである。【選択図】図４
2008082691.tif 000002
【特許請求の範囲】
【請求項１】
流路の分岐地点に設けられた流路切換板と、前記流路切換板を動作させる駆動装置を含む流路切換装置であって、
前記駆動装置は、一方向に回転するモータと、前記モータの回転軸に結合された回転部材と、一端が前記流路切換板に連結され、他端が前記回転部材の回転中心と離隔した位置に回転可能に連結された連結部材と、前記回転部材の回転位置を感知する感知装置とを含み、
前記感知装置は、前記回転部材に設けられた複数の感知突起と、前記複数の感知突起を感知するセンサとを含み、前記複数の感知突起の間の少なくとも１つの間隔が他の感知突起の間の間隔と異なるようになったことを特徴とする流路切換装置。
【請求項２】
前記複数の感知突起は、前記回転部材の外周部に設けられた第１突起と、前記第１突起の反対側の前記回転部材の外周部に設けられた第２突起と、前記第１突起と第２突起との間の前記回転部材の外周部に設けられた第３突起とを含むことを特徴とする請求項１記載の流路切換装置。
【請求項３】
前記第１突起と前記第３突起との間の間隔は、前記第２突起と前記第３突起との間の間隔と同一であり、
前記第１突起と第２突起との間の間隔は、前記第１突起と第３突起との間の間隔と異なるようになったことを特徴とする請求項２記載の流路切換装置。
【請求項４】
前記第２突起は、前記第１突起から回転方向に１８０度の位置に設けられ、前記第３突起は、前記第１突起から回転方向に９０度の位置に設けられたことを特徴とする請求項３記載の流路切換装置。
【請求項５】
前記駆動装置は、前記回転部材を回転させて前記感知突起の感知時差を判断することで、前記流路切換板の位置を判断する制御部を更に含むことを特徴とする請求項１記載の流路切換装置。
【請求項６】
送風経路の異なる第１流路と第２流路を備え、前記第１流路と前記第２流路のうち、いずれか１つで送風がなされるように流路を切換える流路切換装置を含む換気装置であって、
前記流路切換装置は、前記第１流路と前記第２流路の分岐地点に設けられた流路切換板と、前記流路切換板を動作させる駆動装置とを含み、
前記駆動装置は、一方向に回転するモータと、前記モータの回転軸に結合された回転部材と、一端が前記流路切換板に連結され、他端が前記回転部材の回転中心と離隔した位置に回転可能に連結された連結部材と、前記回転部材の回転位置を感知する感知装置とを含み、
前記感知装置は、前記回転部材に設けられた複数の感知突起と、前記複数の感知突起を感知するセンサとを含み、前記複数の感知突起の間の少なくとも１つの間隔が他の感知突起の間の間隔と異なるようになったことを特徴とする換気装置。
【請求項７】
前記複数の感知突起は、前記回転部材の外周部に設けられた第１突起と、前記第１突起の反対側の前記回転部材の外周部に設けられた第２突起と、前記第１突起と第２突起との間の前記回転部材の外周部に設けられた第３突起とを含むことを特徴とする請求項６記載の換気装置。
【請求項８】
前記第２突起は前記第１突起から回転方向に１８０度の位置に設けられ、前記第３突起は前記第１突起から回転方向に９０度の位置に設けられたことを特徴とする請求項７記載の換気装置。
【請求項９】
前記駆動装置は、前記回転部材を回転させて前記感知突起の感知時差を判断することで、前記流路切換板の位置を判断する制御部を更に含むことを特徴とする請求項６記載の換気装置。
【請求項１０】
室内空気の排出のための排出流路と室外空気の流入のための流入流路とを備えた本体ケースと、室内から室外に排出される空気と室外から室内に流入する空気の熱交換のために、前記本体ケース内に設けられた熱交換機を含み、前記排出流路は前記熱交換機を通過する熱交換排出流路と、前記熱交換機を迂回する迂回排出流路とを含み、前記熱交換排出流路と前記迂回排出流路を選択的に開閉する流路切換装置とを含む換気装置であって、
前記流路切換装置は、前記熱交換排出流路と前記迂回排出流路の分岐地点に設けられた流路切換板と、前記流路切換板を動作させる駆動装置とを含み、
前記駆動装置は、一方向に回転するモータと、前記モータの回転軸に結合された回転部材と、一端が前記流路切換板に連結され、他端が前記回転部材の回転中心と離隔した位置に回転可能に連結された連結部材と、前記回転部材の回転位置を感知する感知装置とを含み、
前記感知装置は、前記回転部材に設けられた複数の感知突起と、前記複数の感知突起を感知するセンサとを含み、前記複数の感知突起の間の少なくとも１つの間隔が他の感知突起の間の間隔と異なるようになったことを特徴とする換気装置。
【請求項１１】
前記複数の感知突起は、前記回転部材の外周部に設けられた第１突起と、前記第１突起の反対側の前記回転部材の外周部に設けられた第２突起と、前記第１突起と第２突起との間の前記回転部材の外周部に設けられた第３突起とを含むことを特徴とする請求項１０記載の換気装置。
【請求項１２】
前記第２突起は、前記第１突起から回転方向に１８０度の位置に設けられ、前記第３突起は、前記第１突起から回転方向に９０度の位置に設けられたことを特徴とする請求項１１記載の換気装置。
【請求項１３】
前記駆動装置は、前記回転部材を回転させて前記突起の感知時差を判断することで、前記流路切換板の位置を判断する制御部を更に含むことを特徴とする請求項１０記載の換気装置。
【発明の詳細な説明】
【技術分野】
【０００１】
本発明は、流路切換装置及びこれを備えた換気装置に関し、より詳しくは、従来より構成を単純化することができ、正確な流路切換動作が具現できるようにした流路切換装置及びこれを備えた換気装置に関する。
【背景技術】
【０００２】
一般に、流路切換装置は、空気調和設備や換気装置などで空気の送風経路を変更させる装置である。大韓民国公開特許公報特２００５−９８３９８号にはこのような流路切換装置が採用された換気装置が開示されている。
【０００３】
前記の公報に開示された換気装置は、室内から室外に排出される空気と室外から室内に流入する空気との間の熱交換のための全熱交換機と、室内から室外に排出される空気が全熱交換機を通過したり全熱交換機を迂回するように流路が変更できる流路切換装置（原文には“ダンパ”と表現される）を備えている。即ち、この装置では流路切換装置が排出流路を変更させる機能をする。
【０００４】
前記の公報は流路切換装置の構成に対して具体的に言及していないが、通常的に、このような装置に採用される流路切換装置は、流路の分岐地点に回転可能に設けられる流路切換板と、流路切換板をどの一側方向に押してくれる駆動装置と、駆動装置の動作解除の際、流路切換板の初期位置に復元させる復元スプリングを含む形態である。しかしながら、このような流路切換装置は、長期間の使用により復元スプリングの復原力が弱くなる場合、流路切換板が初期位置に復帰しなくて動作不良が生じることがある。また、このような流路切換装置は復元スプリングの採用により装置の構成が複雑であった。
【０００５】
流路切換装置の他の形態としては、流路切換板を正回転または逆回転させることができるステップモータを採用した例が知られている。しかしながら、このような流路切換装置は高価なステップモータを採用するので、流路切換装置の製造コストが高いという短所があった。
【０００６】
また、ステップモータの回転位置の感知のために複数のセンサを使用するだけでなく、ステップモータに直流電源を印加するためのＤ／Ｃコンバータなどを必要とするので、構成が複雑であった。
【０００７】
【特許文献１】大韓民国公開特許公報特２００５−９８３９８号
【発明の開示】
【発明が解決しようとする課題】
【０００８】
本発明はこのような問題点を解決するためのものであって、本発明の目的は、従来より構成を単純化することができ、製造コストを低減することができ、正確な流路切換動作が具現できるようにする流路切換装置及びこれを備えた換気装置を提供することにある。
【課題を解決するための手段】
【０００９】
このような目的を達成するための本発明に係る流路切換装置は、流路の分岐地点に設けられた流路切換板と、前記流路切換板を動作させる駆動装置を含む流路切換装置であって、前記駆動装置は、一方向に回転するモータと、前記モータの回転軸に結合された回転部材と、一端が前記流路切換板に連結され、他端が前記回転部材の回転中心と離隔した位置に回転可能に連結された連結部材と、前記回転部材の回転位置を感知する感知装置とを含み、前記感知装置は、前記回転部材に設けられた複数の感知突起と、前記複数の感知突起を感知するセンサとを含み、前記複数の感知突起の間の少なくとも１つの間隔が他の感知突起の間の間隔と異なるようになったことを特徴とする。
【００１０】
また、前記複数の感知突起は、前記回転部材の外周部に設けられた第１突起と、前記第１突起の反対側の前記回転部材の外周部に設けられた第２突起と、前記第１突起と第２突起との間の前記回転部材の外周部に設けられた第３突起とを含むことを特徴とする。
【００１１】
また、前記第１突起と前記第３突起との間の間隔は、前記第２突起と前記第３突起との間の間隔と同一であり、前記第１突起と第２突起との間の間隔は、前記第１突起と第３突起との間の間隔と異なるようになったことを特徴とする。
【００１２】
また、前記第２突起は、前記第１突起から回転方向に１８０度の位置に設けられ、前記第３突起は、前記第１突起から回転方向に９０度の位置に設けられたことを特徴とする。
【００１３】
また、前記駆動装置は、前記回転部材を回転させて前記感知突起の感知時差を判断することで、前記流路切換板の位置を判断する制御部を更に含むことを特徴とする。
【００１４】
また、本発明に係る換気装置は、送風経路の異なる第１流路と第２流路を備え、前記第１流路と前記第２流路のうち、いずれか１つで送風がなされるように流路を切換える流路切換装置を含む換気装置であって、前記流路切換装置は、前記第１流路と前記第２流路の分岐地点に設けられた流路切換板と、前記流路切換板を動作させる駆動装置とを含み、前記駆動装置は、一方向に回転するモータと、前記モータの回転軸に結合された回転部材と、一端が前記流路切換板に連結され、他端が前記回転部材の回転中心と離隔した位置に回転可能に連結された連結部材と、前記回転部材の回転位置を感知する感知装置とを含み、前記感知装置は、前記回転部材に設けられた複数の感知突起と、前記複数の感知突起を感知するセンサとを含み、前記複数の感知突起の間の少なくとも１つの間隔が他の感知突起の間の間隔と異なるようになったことを特徴とする。
【００１５】
また、本発明に係る換気装置は、室内空気の排出のための排出流路と室外空気の流入のための流入流路とを備えた本体ケースと、室内から室外に排出される空気と室外から室内に流入する空気の熱交換のために、前記本体ケース内に設けられた熱交換機を含み、前記排出流路は前記熱交換機を通過する熱交換排出流路と、前記熱交換機を迂回する迂回排出流路とを含み、前記熱交換排出流路と前記迂回排出流路を選択的に開閉する流路切換装置とを含む換気装置であって、前記流路切換装置は、前記熱交換排出流路と前記迂回排出流路の分岐地点に設けられた流路切換板と、前記流路切換板を動作させる駆動装置とを含み、前記駆動装置は、一方向に回転するモータと、前記モータの回転軸に結合された回転部材と、一端が前記流路切換板に連結され、他端が前記回転部材の回転中心と離隔した位置に回転可能に連結された連結部材と、前記回転部材の回転位置を感知する感知装置とを含み、前記感知装置は、前記回転部材に設けられた複数の感知突起と、前記複数の感知突起を感知するセンサとを含み、前記複数の感知突起の間の少なくとも１つの間隔が他の感知突起の間の間隔と異なるようになったことを特徴とする。
【発明の効果】
【００１６】
以上、前述したように、本発明に係る流路切換装置は、モータの回転動作により、流路切換板を押すとか引いて位置を変更させることができる構造であるので、従来の流路切換装置に比べて構成が単純化できる効果がある。特に、本発明は、１つの感知センサを通じて流路切換板の位置が判断できるものであるので、従来より構成が単純化できる効果がある。
【００１７】
また、本発明の流路切換装置は、モータが一方向に回転する動作だけで流路切換板の位置が変更できるので、安価の交流モータの採用が可能であるので製造コストを低減することができる効果がある。
【００１８】
また、本発明の流路切換装置は、回転部材の外周部に設けられた複数の感知突起を感知センサが感知し、各突起が感知されることにかかる区間別時間（Ｔ１、Ｔ２、Ｔ３）を制御部が計算して、流路切換板の正確な初期位置が判断できるので、流路切換動作を正確に具現することができる効果がある。
【発明を実施するための最良の形態】
【００１９】
以下、本発明に係る好ましい実施形態を添付の図面を参照しつつ詳細に説明する。
【００２０】
本発明に係る換気装置は、図１と図２に示すように、箱型の本体ケース１０を備え、本体ケース１０の内部に設けられる熱交換機３０を備える。
【００２１】
本体ケース１０は、室外側の第１側面部１１、室内側の第２側面部１２、第１側面部１１と第２側面部１２の両端を各々連結する第３及び第４側面部１３、１４を備え、図面に具体的に示してはいないが、上部と下部を覆う上面部と下面部を備える。室外側の第１側面部１１には外気流入口１５と内気排出口１６が形成され、第２側面部１２には内気流入口１７と外気排出口１８が形成される。また、第１及び第２側面部１１、１２にはダクト（図示していない）の連結のための所定の長さの連結管１９ａ、１９ｂ、１９ｃ、１９ｄが設けられる。
【００２２】
熱交換機３０は、図１に示すように、室内から室外に排出される空気が通過する第１流路３１と、室外から室内に流入する空気が通過する第２流路３２を備える全熱交換機である。第１流路３１と第２流路３２は相互交差する方向であり、相互区画される。このような熱交換機３０では、第１流路３１を介して室外から室内に流入する空気と第２流路３２を介して室内から室外に排出される空気の熱交換がなされる。
【００２３】
本体ケース１０の内部の内気排出口１６側には室内空気の排気のための排気送風ユニット４０が設けられ、本体ケース１０の外気排出口１８側には室外空気の流入のための給気送風ユニット５０が設けられる。排気送風ユニット４０は、内気排出口１６と連繋される排気ファンダクト４１、排気ファンダクト４１内に設けられる排気送風ファン４２、及び排気送風ファン４２を駆動する排気モータ４３を含む。給気送風ユニット５０は、外気排出口１８と連繋される給気ファンダクト５１、給気ファンダクト５１内に設けられる給気送風ファン５２、及び給気送風ファン５２を駆動する給気モータ５３を含む。
【００２４】
したがって、本発明の換気装置は、排気送風ユニット４０が動作すれば、内気流入口１７に流入した室内空気が熱交換機３０の第１流路３１を通過して排気送風ユニット４０側に流れ、排気送風ユニット４０を経て内気排出口１６に排出されることができる。そして、給気送風ユニット５０が動作すれば、外気流入口１５に流入した室外空気が熱交換機３０の第２流路３２を通過して給気送風ユニット５０に流れ、給気送風ユニット５０を経て外気排出口１８に排出する。このような換気動作がなされる時は、室内空気と室外空気が熱交換機３０の内部を相互交差するように通過しながら熱交換するので、室内の熱損失を最小化することができる。
【００２５】
また、本発明の換気装置は、図２に示すように、第３側面部１３の内側に設けられる迂回排出流路２０と、内気流入口１７側に設けられる流路切換装置６０とを含む。迂回排出流路２０は、内気流入口１７を介して流入した室内空気が熱交換機３０を経ないで排気送風ユニット４０側に直ちに流れることができるようにする。流路切換装置６０は、図２に示すように、内気流入口１７に流入した室内空気が熱交換機３０を通過する流路（以下、‘熱交換排出流路’という）を経て外部に排出されるようにしたり、図３に示すように、迂回排出流路２０を介して外部に排出できるように流路を切換する機能を有する。
【００２６】
このような構成は、図２に示すような熱交換換気動作（排出空気が熱交換機を通過する換気動作）を遂行したり、図３に示すように、一般の換気動作（排出空気が熱交換機を通過しない換気動作）が遂行できるようにするためである。通常的に熱交換換気動作は夏や冬のように室内と室外の温度偏差が大きくて熱回収を必要とする時に遂行し、一般の換気動作は春や秋のように室内と室外の温度偏差が大きくない時に遂行するが、これは使用者が必要によって流路切換装置６０を動作させて選択できる。 
【００２７】
流路切換装置６０は、図４と図５に示すように、熱交換排出流路３０と迂回排出流路２０の分岐地点に設けられる流路切換板６１と、流路切換板６１を動作させる駆動装置とを含む。流路切換板６１は、回転により流路を切換させることができるように一端が本体ケース１０内に回転可能に結合される。
【００２８】
駆動装置は、流路切換モータ６２と、流路切換モータ６２の回転軸に結合された円板型の回転部材６３と、回転部材６３と流路切換板６３を連結する連結部材６４と、回転部材６４の回転位置を感知する感知装置とを含む。流路切換モータ６２は、一方向に回転する通常の交流モータで構成され、支持ブラケット６５により本体ケース１０の底面に固定される。連結部材６４は、一端が流路切換板６１に回転可能に結合され、他端が回転部材６３の上面に回転可能に連結される。
【００２９】
連結部材６４と流路切換板６１の連結部６４ａは、流路切換板６１の回転中心と離隔し、連結部材６４と回転部材６３の連結部６４ｂも回転部材６３の回転中心と離隔する。
【００３０】
このような流路切換装置６０は、図４に示すように、流路切換モータ６２の動作により回転部材６３が一方向（時計方向）に回転すれば、連結部材６４が流路切換板６１を押すとか引くことができる。したがって、流路切換板６１は、図２に示すように、迂回排出流路２０を閉鎖すると共に、熱交換排出流路を開放するように動作したり、図３に示すように、迂回排出流路２０を開放すると共に、熱交換排出流路を閉鎖するように動作することができる。
【００３１】
回転部材６３の回転位置を感知する感知装置は、図４に示すように、回転部材６３の外周部に設けられる複数の感知突起６６、６７、６８と、この感知突起６６、６７、６８を感知するように回転部材６３の外側の支持ブラケット６５に固定された感知センサ６９を含む。感知センサ６９は、感知突起６６、６７、６８の接触の可否によって、オン／オフされるリミットスイッチなどで構成される。感知突起は、第１突起６６と、第１突起６６から回転部材６３の回転方向に１８０度の位置に設けられる第２突起６７と、第１突起６６から回転部材６３の回転方向に９０度の位置に設けられる第３突起６８とを含む。これは感知突起の間の少なくとも１つの間隔を、他の感知突起の間の間隔と異なるようにしたものである。
【００３２】
感知センサ６９を設ける時は、流路切換板６１が迂回排出流路２０の入口を閉鎖し、熱交換排出流路を開放した状態の際、第１突起６６を感知することができ、流路切換板６１が迂回排出流路２０の入口を開放し、熱交換排出流路の入口を閉鎖した状態の際、第２突起６７が感知できる位置に固定する。これは、第１突起６６が感知センサ６９と接する際、流路切換板６１が熱交換排出流路を開放した状態であることを感知し、第２突起６７が感知センサと接する際、流路切換板６１が迂回排出流路２０を開放した状態であることを感知するためである。第３突起６８は、流路切換板６１（または、回転部材６３）の初期位置の判断のために必要である。これに対しては後述する。
【００３３】
図６は、本発明に係る換気装置の制御ブロック図である。図示したように、本発明に係る換気装置は、熱交換換気モードまたは一般の換気モードで動作を制御するための信号入力部７１、制御部７０、及び表示部７２を含む。
【００３４】
信号入力部７１は、使用者が選択した運転情報（熱交換換気モードまたは一般換気モード）を制御部７０に入力する。そして、制御部７０は、流路切換モータ６２、給気モータ５３、及び排気モータ４３の動作を制御し、表示部７２を介して動作状態が表示されるようにする。制御部７０は、動作初期に流路切換装置６０の流路切換モータ６２を動作させて感知センサ６９が第１乃至第３突起６６、６７、６８を感知するようにし、このような感知情報に基づいて流路切換板６１（または、回転部材６３）の初期位置を判断する。これに対する具体的な方法は後述する。
【００３５】
また、制御部７０は、流路切換板６１の初期位置情報と信号入力部７１を介して入力された運転情報を比較して流路切換板６１の初期位置情報と入力された運転情報が一致しない場合は、一致するように流路切換モータ６２を動作させて流路切換板６１の位置を初期化する。流路切換板６１の初期位置判断及び初期化方法は、次の通りである。
【００３６】
流路切換板６１の初期位置判断のために、制御部７０は、流路切換モータ６２を動作させ、図４に示すように、回転部材６３を時計方向に回転させることによって、感知センサ６９が回転部材６３の外周部の第１乃至第３突起６６、６７、６８が感知できるようにする。このような動作は、感知センサ６９が最初に感知する突起から４番目の突起を感知する時まで遂行する。仮りに、感知センサ６９が第１突起６６を最初に感知したならば、再度第１突起６６を感知する時まで遂行する方式である。また、制御部７０は最初の突起が感知された時点から２度目の突起が感知される時までかかった時間（Ｔ１）、２度目の突起が感知された時点から３番目の突起が感知される時までかかった時間（Ｔ２）、３番目の突起が感知された時点からまた最初に感知した突起が感知される時までかかった時間（Ｔ３）を計算する。図４の例のように、感知センサが最初の第２突起と接した状態で回転部材が時計方向に回転する場合であれば、感知センサは、第２突起、第３突起、第１突起、第２突起の順に感知することになる。したがって、この場合、Ｔ１とＴ２は同一であり、Ｔ３はＴ１とＴ２の２倍位となる。
【００３７】
制御部７０は、このような方式により各区間別時間（Ｔ１、Ｔ２、Ｔ３）を計算した後、各区間別時間（Ｔ１、Ｔ２、Ｔ３）を比較して流路切換板６１（または、回転部材６３）の初期位置を判断する。即ち、図７に示すように、感知結果が（Ｔ２>Ｔ１）＆（Ｔ２>Ｔ３）の条件（Ａ）の場合、初期位置は感知センサ６９と第３突起６８が接した状態であると判断する。
【００３８】
（Ｔ１>Ｔ２）＆（Ｔ１>Ｔ３）の条件（Ｂ）のる場合、初期位置は感知センサ６９が第１突起６６と接した状態であると判断する。したがって、この時は流路切換板６１が熱交換排出流路を開放して熱交換換気モードに動作できる状態と判断する。また、（Ｔ３>Ｔ１）＆（Ｔ３>Ｔ２）の条件（Ｃ）の場合、初期位置は感知センサ６９が第２突起６７と接した状態であると判断する。したがって、この時は流路切換板６１が迂回排出流路２０を開放して一般換気モードで動作できる状態と判断する。このように、本発明の流路切換装置６０は、１つの感知センサ６９を採用し、かつ、初期位置を容易に判断することができる。
【００３９】
次に、このような流路切換装置を備えた換気装置の動作について説明する。
【００４０】
熱交換換気モードを実行すれば、制御部７０は流路切換板６１の初期位置感知を通じて初期位置を判断し、入力された運転情報（熱交換換気モード）と一致するかどうかを判断する。即ち、流路切換板６１が熱交換排出流路を開放した状態であるかどうかを判断する。この際、流路切換板６１の位置が熱交換排出流路を開放した状態であれば、給気送風ユニット５０と排気送風ユニット４０を動作させる。仮りに、流路切換板６１の位置が運転情報と一致しないと、流路切換モータ６２を動作させて流路切換板６１の位置が運転情報と一致するようにする初期化動作を実行した後（流路切換板が熱交換排出流路を開放するようにした後）、給気及び排気送風ユニット５０、４０を動作させる。このような動作がなされれば、図２に示すように、室内から排出される空気と室外に流入する空気が全て熱交換機３０を通過する。したがって、熱交換を伴う換気動作を遂行することができる。
【００４１】
一般換気モードを実行すれば、制御部７０はやはり流路切換板６１の初期位置感知を通じて初期位置を判断し、入力された運転情報（一般換気モード）と一致するかどうかを判断する。そして、流路切換板６１の位置が迂回排出流路２０を開放した状態であれば、給気送風ユニット５０と排気送風ユニット４０を動作させる。仮りに、流路切換板６１の位置が運転情報と一致しないと、流路切換モータ６２を動作させて流路切換板６１の位置が運転情報と一致するようにする初期化動作を実行した後（流路切換板が迂回排出流路を開放するようにした後）、給気及び排気送風ユニット５０、４０を動作させる。このような動作がなされれば、図３に示すように、室内から室外に排出される空気は迂回排出流路２０を介して排出され、室外から室内に流入する空気は熱交換機３０を通過して室内に流入する。したがって、この時は熱交換なしに換気がなされる。
【図面の簡単な説明】
【００４２】
【図１】本発明に係る流路切換装置が適用された換気装置の斜視図である。
【図２】本発明に係る流路切換装置が適用された換気装置の断面図であって、熱交換換気状態を示す図である。
【図３】本発明に係る流路切換装置が適用された換気装置の断面図であって、一般換気状態を示す図である。
【図４】本発明に係る流路切換装置の構成を示す平面図である。
【図５】本発明に係る流路切換装置の斜視図であって、換気装置に適用された状態を示す図である。
【図６】本発明に係る流路切換装置が適用された換気装置の制御ブロック図である。
【図７】本発明に係る流路切換装置の感知装置の感知条件と初期位置の関係を示す図である。
【符号の説明】
【００４３】
１０    本体ケース
１５    外気流入口
１６    内気排出口
１７    外気排出口
１８    内気流入口
２０    迂回排出流路
３０    熱交換機
４０    排気送風ユニット
５０    給気送風ユニット
６０    流路切換装置
６１    流路切換板
６２    流路切換モータ
６３    回転部材
６４    連結部材
６５    支持ブラケット
６６    第１突起
６７    第２突起
６８    第３突起
６９    感知センサ
７０    制御部
【図１】
2008082691.tif 000003
【図２】
2008082691.tif 000004
【図３】
2008082691.tif 000005
【図４】
2008082691.tif 000006
【図５】
2008082691.tif 000007
【図６】
2008082691.tif 000008
【図７】
2008082691.tif 000009